(57)【要約】【課題】簡便且つ小型な構成により、２つの波長の光を合成できる、光合成光学素子、照明装置及びプロジェクターを提供する。【解決手段】光合成光学素子は、第１機能膜と第２機能膜とを備える。第１機能膜は、第１の波長の光に対して偏光分離機能を持ち、かつ、第１の波長とは異なる第２の波長の光を、第２の波長の該光の偏光状態にかかわらず透過させる。第２機能膜は、第１の波長の光を透過させるとともに第２の波長の光を反射させる。【選択図】図２
2018004755.tif 000002
【特許請求の範囲】
【請求項１】
第１の波長の光に対して偏光分離機能を持ち、該第１の波長とは異なる第２の波長の光を、該第２の波長の該光の偏光状態にかかわらず透過させる第１機能膜と、
前記第１の波長の前記光を透過させるとともに前記第２の波長の前記光を反射させる第２機能膜と、を有するクロスプリズムを備えた光合成光学素子。
【請求項２】
請求項１に記載の光合成光学素子を備えた光合成光学系と、
前記第１の波長をピーク波長として有する第１の光を射出する第１光源ユニットと、前記第１の波長をピーク波長として有する第２の光を射出する第２光源ユニットと、前記第２の波長をピーク波長として有する第３の光を射出する第３光源ユニットと、を有する光源装置と、を備え、
前記光合成光学素子と前記光源装置とは、前記第１の光が前記第１機能膜によって反射され、前記第２の光が前記第１機能膜および前記第２機能膜を透過し、前記第３の光が前記第２機能膜によって反射されることで、前記第１の光と前記第２の光と前記第３の光とが合成されるように配置されている
照明装置。
【請求項３】
前記第１の光は、前記第１機能膜に対してＳ偏光として入射し、
前記第２の光は、前記第１機能膜に対してＰ偏光として入射する
請求項２に記載の照明装置。
【請求項４】
前記第３の光は、前記第２機能膜に対してＳ偏光として入射する
請求項２又は３に記載の照明装置。
【請求項５】
前記第１の波長と前記第２の波長との差は、１０ｎｍ以上である
請求項２乃至４のいずれか一項に記載の照明装置。
【請求項６】
第２の波長は第１の波長よりも１０ｎｍ以上長い
請求項５に記載の照明装置。
【請求項７】
前記光源装置は、前記第２の波長をピーク波長として有する第４の光を射出する第４光源ユニットをさらに備え、
前記光合成光学系は、前記光合成光学素子の後段に設けられた第３機能膜をさらに備え、
前記第３機能膜は、前記第２の波長の光に対して偏光分離機能を持つとともに、前記第１の波長の光を、前記第１の波長の前記光の偏光状態にかかわらず透過または反射させ、
第４光源ユニットから射出された前記第４の光は、前記第３機能膜の一方側から前記第３機能膜へ０°よりも大きい入射角で入射し、かつ、前記光合成光学素子から射出された前記第１〜第３の光は、前記第３機能膜の他方側から前記第３機能膜へ前記入射角で入射するように、前記第３機能膜および前記第４光源ユニットが配置されており、
前記第３の光と前記第４の光は、互いに異なる偏光状態で前記第３機能膜に入射する
請求項２乃至６のいずれか一項に記載の照明装置。
【請求項８】
前記光合成光学系の後段に設けられるとともに前記第１の波長と前記第２の波長とに対して波長分離機能を持つ第４機能膜と、該第４機能膜の後段に設けられた蛍光体層および拡散素子と、をさらに備え、
前記第４機能膜と前記蛍光体層と前記拡散素子とは、前記第４機能膜によって分離された前記第１の光および前記第２の光が前記蛍光体層と前記拡散素子のうち一方に入射し、前記第４機能膜によって分離された前記第３の光が前記蛍光体層と前記拡散素子のうち他方に入射するように配置されている
請求項２乃至７のいずれか一項に記載の照明装置。
【請求項９】
請求項２乃至８のいずれか一項に記載の照明装置と、
前記照明装置からの光を画像情報に応じて変調することにより画像光を形成する光変調装置と、
前記画像光を投射する投射光学系と、を備える
プロジェクター。
【発明の詳細な説明】
【技術分野】
【０００１】
本発明は、光合成光学素子、照明装置及びプロジェクターに関するものである。
【背景技術】
【０００２】
プロジェクター用の光源装置として、励起用の短波長青色レーザー光源と、表示用の長波長青色レーザー光源とを用いたものが提案されている（例えば特許文献１）。高輝度化を図るにはレーザー光源の数を増やす必要があるが、この光源装置においてレーザー光源の数を増やすと光源装置が大型化し、光源装置から射出される光線束の径も大きくなってしまう。
これに対し、複数の光源ユニットを用いることで、光線束の径が大きくなるのを防止した光源装置も提案されている（例えば特許文献２）。
【先行技術文献】
【特許文献】
【０００３】
【特許文献１】特開２０１５−４９４４１号公報
【特許文献２】特開２０１１−１５８５０２号公報
【発明の概要】
【発明が解決しようとする課題】
【０００４】
しかしながら、上記特許文献２に記載の光源装置においては、複数の光源ユニットから射出される光の波長が全て同じとなっており、異なる波長の光を合成できなかった。また、各光源ユニットからの光を合成する光合成光学系の構造が複雑なものとなっていた。
【０００５】
本発明はこのような事情に鑑みてなされたものであって、簡便且つ小型な構成により、２つの波長の光を合成でき、かつ高輝度化に対応可能な光合成光学素子、当該光合成光学素子を備えた照明装置及び当該照明装置を備えたプロジェクターを提供することを目的とする。
【課題を解決するための手段】
【０００６】
本発明の第１態様に従えば、第１の波長の光に対して偏光分離機能を持ち、該第１の波長とは異なる第２の波長の光を、該第２の波長の該光の偏光状態にかかわらず透過させる第１機能膜と、前記第１の波長の前記光を透過させるとともに前記第２の波長の前記光を反射させる第２機能膜と、を有するクロスプリズムを備えた光合成光学素子が提供される。
【０００７】
第１態様に係る光合成光学素子は、互いに偏光状態の異なる２つの第１の波長の光と、第２の波長の光とを簡便且つ小型な構成によって一つに合成することができる。
【０００８】
本発明の第２態様に従えば、上記第１態様の光合成光学素子を備えた光合成光学系と、前記第１の波長をピーク波長として有する第１の光を射出する第１光源ユニットと、前記第１の波長をピーク波長として有する第２の光を射出する第２光源ユニットと、前記第２の波長をピーク波長として有する第３の光を射出する第３光源ユニットと、を有する光源装置と、を備え、前記光合成光学素子と前記光源装置とは、前記第１の光が前記第１機能膜によって反射され、前記第２の光が前記第１機能膜および前記第２機能膜を透過し、前記第３の光が前記第２機能膜によって反射されることで、前記第１の光と前記第２の光と前記第３の光とが合成されるように配置されている照明装置が提供される。
【０００９】
第２態様に係る照明装置によれば、３つの光源ユニットから射出した第１の光、第２の光、第３の光を良好に合成して射出することができる。
【００１０】
上記第２態様において、前記第１の光は、前記第１機能膜に対してＳ偏光として入射し、前記第２の光は、前記第１機能膜に対してＰ偏光として入射するのが好ましい。
この構成によれば、第１の光と第２の光とを第１機能膜によって効率良く合成することができる。
【００１１】
前記第３の光は、前記第２機能膜に対してＳ偏光として入射するのが望ましい。
このようにすれば、第３の光を第２機能膜によって効率良く反射することができる。
【００１２】
上記第２態様において、前記第１の波長と前記第２の波長との差は、１０ｎｍ以上であるのが好ましい。
この構成によれば、第１〜第３の光が第１機能膜及び第２機能膜によって効率良く合成される。
【００１３】
第２の波長は第１の波長よりも１０ｎｍ以上長いのが望ましい。
このようにすれば、例えば、第２の波長の光を用いることでカラー画像を形成するのに適した色域を得ることができる。
【００１４】
上記第２態様において、前記光源装置は、前記第２の波長をピーク波長として有する第４の光を射出する第４光源ユニットをさらに備え、前記光合成光学系は、前記光合成光学素子の後段に設けられた第３機能膜をさらに備え、前記第３機能膜は、前記第２の波長の光に対して偏光分離機能を持つとともに、前記第１の波長の光を、前記第１の波長の前記光の偏光状態にかかわらず透過または反射させ、第４光源ユニットから射出された前記第４の光は、前記第３機能膜の一方側から前記第３機能膜へ０°よりも大きい入射角で入射し、かつ、前記光合成光学素子から射出された前記第１〜第３の光は、前記第３機能膜の他方側から前記第３機能膜へ前記入射角で入射するように、前記第３機能膜および前記第４光源ユニットが配置されており、前記第３の光と前記第４の光は、互いに異なる偏光状態で前記第３機能膜に入射するのが好ましい。
この構成によれば、第１〜第４の光が合成された光を射出することができる。
【００１５】
上記第２態様において、前記光合成光学系の後段に設けられるとともに前記第１の波長と前記第２の波長とに対して波長分離機能を持つ第４機能膜と、該第４機能膜の後段に設けられた蛍光体層および拡散素子と、をさらに備え、前記第４機能膜と前記蛍光体層と前記拡散素子とは、前記第４機能膜によって分離された前記第１の光および前記第２の光が前記蛍光体層と前記拡散素子のうち一方に入射し、前記第４機能膜によって分離された前記第３の光が前記蛍光体層と前記拡散素子のうち他方に入射するように配置されているのが好ましい。
この構成によれば、蛍光光と拡散光とを射出することができる。
【００１６】
本発明の第３態様に従えば、上記第２態様に係る照明装置を備えるプロジェクターが提供される。
【図面の簡単な説明】
【００１７】
【図１】第１実施形態に係るプロジェクターの概略構成を示す図。
【図２】照明装置の概略構成を示す図。
【図３】第２実施形態に係るプロジェクターの概略構成を示す図。
【図４】蛍光体ホイールの平面構成を示す図。
【図５】第１変形例に係る光合成光学系の周辺構成を示す図。
【図６】第２変形例に係る光合成光学系の周辺構成を示す図。
【発明を実施するための形態】
【００１８】
以下、本発明の実施の形態について、図面を参照して詳細に説明する。
なお、以下の説明で用いる図面は、特徴をわかりやすくするために、便宜上特徴となる部分を拡大して示している場合があり、各構成要素の寸法比率などが実際と同じであるとは限らない。
【００１９】
（第１実施形態）
まず、本実施形態に係るプロジェクターの概略構成について説明する。
図１は、本実施形態に係るプロジェクターの概略構成を示す図である。
図１に示すように、本実施形態のプロジェクター１は、スクリーンＳＣＲ上にカラー映像を表示する投射型画像表示装置である。プロジェクター１は、照明装置２と、色分離光学系３と、光変調装置４Ｒ，光変調装置４Ｇ，光変調装置４Ｂと、合成光学系５と、投射光学系６とを備えている。
【００２０】
色分離光学系３は、照明光ＷＬを赤色光ＬＲと、緑色光ＬＧと、青色光ＬＢとに分離する。色分離光学系３は、第１のダイクロイックミラー７ａ及び第２のダイクロイックミラー７ｂと、第１の反射ミラー８ａ、第２の反射ミラー８ｂ及び第３の反射ミラー８ｃと、第１のリレーレンズ９ａ及び第２のリレーレンズ９ｂとを概略備えている。
【００２１】
第１のダイクロイックミラー７ａは、照明装置２からの照明光ＷＬを赤色光ＬＲと、その他の光（緑色光ＬＧ及び青色光ＬＢ）とに分離する。第１のダイクロイックミラー７ａは、分離された赤色光ＬＲを透過すると共に、その他の光（緑色光ＬＧ及び青色光ＬＢ）を反射する。一方、第２のダイクロイックミラー７ｂは、緑色光ＬＧを反射すると共に青色光ＬＢを透過することによって、その他の光を緑色光ＬＧと青色光ＬＢとに分離する。
【００２２】
第１の反射ミラー８ａは、赤色光ＬＲの光路中に配置されて、第１のダイクロイックミラー７ａを透過した赤色光ＬＲを光変調装置４Ｒに向けて反射する。一方、第２の反射ミラー８ｂ及び第３の反射ミラー８ｃは、青色光ＬＢの光路中に配置されて、第２のダイクロイックミラー７ｂを透過した青色光ＬＢを光変調装置４Ｂに導く。緑色光ＬＧは、第２のダイクロイックミラー７ｂから光変調装置４Ｇに向けて反射される。
【００２３】
第１のリレーレンズ９ａ及び第２のリレーレンズ９ｂは、第２のダイクロイックミラー７ｂの後段における青色光ＬＢの光路中に配置されている。第１のリレーレンズ９ａ及び第２のリレーレンズ９ｂは、青色光ＬＢの光路長が赤色光ＬＲや緑色光ＬＧの光路長よりも長くなることに起因した青色光ＬＢの光損失を補償する機能を有している。
【００２４】
光変調装置４Ｒは、赤色光ＬＲを画像情報に応じて変調し、赤色光ＬＲに対応した画像光を形成する。光変調装置４Ｇは、緑色光ＬＧを画像情報に応じて変調し、緑色光ＬＧに対応した画像光を形成する。光変調装置４Ｂは、青色光ＬＢを画像情報に応じて変調し、青色光ＬＢに対応した画像光を形成する。
【００２５】
光変調装置４Ｒ，光変調装置４Ｇ，光変調装置４Ｂには、例えば透過型の液晶パネルが用いられている。また、液晶パネルの入射側及び射出側各々には、偏光板（図示せず。）が配置されている。液晶パネルは反射型であってもよい。
【００２６】
また、光変調装置４Ｒ，光変調装置４Ｇ，光変調装置４Ｂの入射側には、それぞれフィールドレンズ１０Ｒ，フィールドレンズ１０Ｇ，フィールドレンズ１０Ｂが配置されている。フィールドレンズ１０Ｒ，フィールドレンズ１０Ｇ，フィールドレンズ１０Ｂは、光変調装置４Ｒ，光変調装置４Ｇ，光変調装置４Ｂそれぞれに入射する赤色光ＬＲ，緑色光ＬＧ，青色光ＬＢそれぞれを平行化する。
【００２７】
合成光学系５には、光変調装置４Ｒ，光変調装置４Ｇ，光変調装置４Ｂからの画像光が入射する。合成光学系５は、各々が赤色光ＬＲ，緑色光ＬＧ，青色光ＬＢに対応した画像光を合成し、この合成された画像光を投射光学系６に向けて射出する。合成光学系５には、例えばクロスダイクロイックプリズムが用いられている。
【００２８】
投射光学系６は、投射レンズ群からなり、合成光学系５により合成されたカラー画像をスクリーンＳＣＲに向けて拡大投射する。これにより、スクリーンＳＣＲ上には、拡大されたカラー映像が表示される。
【００２９】
（照明装置）
続いて、本発明の一実施形態に係る照明装置２について説明する。図２は照明装置２の概略構成を示す図である。図２に示すように、照明装置２は、照明光生成部２Ａと、インテグレーター光学系１３１と、偏光変換素子１３２と、重畳レンズ１３３ａとを備えている。本実施形態において、インテグレーター光学系１３１と重畳レンズ１３３ａとは重畳光学系１３３を構成している。
【００３０】
照明光生成部２Ａは、光源装置２０と、光合成光学系２２と、第１位相差板２３と、ホモジナイザー光学系２４と、偏光分離素子２５と、第２位相差板２６と、第１のピックアップレンズユニット２７と、拡散板ホイール２８と、第２のピックアップレンズユニット２９と、蛍光体ホイール３０とを備えている。
【００３１】
光源装置２０は、第１光源ユニット１７と、第２光源ユニット１８と、第３光源ユニット１９とを有する。
【００３２】
第１光源ユニット１７は、第１アレイ光源１７Ａと、第１コリメーター光学系１７Ｂとを含む。第２光源ユニット１８は、第２アレイ光源１８Ａと、第２コリメーター光学系１８Ｂとを含む。第３光源ユニット１９は、第３アレイ光源１９Ａと、第３コリメーター光学系１９Ｂとを含む。
【００３３】
第１アレイ光源１７Ａは、複数の半導体レーザー１７ａを有する。複数の半導体レーザー１７ａは光軸ａｘ１と直交する面内において、アレイ状に配置されている。半導体レーザー１７ａは、光線ＢＬ１ｓを射出する。光線ＢＬ１ｓは、ピーク波長が例えば４４５ｎｍであるレーザー光である。本実施形態において、４４５ｎｍを第１の波長と定義する。光線ＢＬ１ｓは特許請求の範囲に記載の「第１の光」に相当する。
本実施形態において、光線ＢＬ１ｓの偏光状態は、後述するクロスプリズムＰの第１機能膜２２Ａに対するＳ偏光である。光線ＢＬ１ｓは、蛍光体ホイール３０の蛍光体層３２の励起に用いられる。
【００３４】
第２アレイ光源１８Ａは、複数の半導体レーザー１８ａを備える。複数の半導体レーザー１８ａは光軸ａｘ２と直交する面内において、アレイ状に配置されている。半導体レーザー１８ａは、光線ＢＬ１ｐを射出する。光線ＢＬ１ｐは、ピーク波長が第１の波長であるレーザー光である。光線ＢＬ１ｐは、特許請求の範囲に記載の「第２の光」に相当する。
本実施形態において、光線ＢＬ１ｐの偏光状態は、クロスプリズムＰの第１機能膜２２Ａに対するＰ偏光である。光線ＢＬ１ｐは、蛍光体ホイール３０の蛍光体層３２の励起に用いられる。
【００３５】
第３光源ユニット１９は、複数の半導体レーザー１９ａを備える。複数の半導体レーザー１９ａは光軸ａｘ１と直交する面内において、アレイ状に配置されている。半導体レーザー１９ａは、光線ＢＬ２ｓを射出する。光線ＢＬ１ｓは、ピーク波長が例えば４６５ｎｍであるレーザー光である。本実施形態において、４６５ｎｍを第２の波長と定義する。光線ＢＬ２ｓは、特許請求の範囲に記載の「第３の光」に相当する。
本実施形態において、光線ＢＬ２ｓの偏光状態は、後述するクロスプリズムＰの第２機能膜２２Ｂに対するＳ偏光である。光線ＢＬ２ｓは、プロジェクター１が投射するカラー画像の形成に用いられる。
【００３６】
第１アレイ光源１７Ａから射出された光は第１コリメーター光学系１７Ｂに入射する。第１コリメーター光学系１７Ｂは、アレイ状に配置された複数のコリメーターレンズ１７ｂから構成されている。コリメーターレンズ１７ｂは半導体レーザー１７ａから射出された光線ＢＬ１ｓを平行光に変換する。
【００３７】
同様に、第２アレイ光源１８Ａから射出された光と第３アレイ光源１９Ａから射出された光は第２コリメーター光学系１８Ｂ及び第３コリメーター光学系１９Ｂにそれぞれ入射する。第２コリメーター光学系１８Ｂ及び第３コリメーター光学系１９Ｂは、第１コリメーター光学系１７Ｂと同一構成を有するため、詳細な説明については省略する。第２コリメーター光学系１８Ｂは、アレイ状に並んで配置された複数のコリメーターレンズ１８ｂから構成されている。第３コリメーター光学系１９Ｂは、アレイ状に並んで配置された複数のコリメーターレンズ１９ｂから構成されている。
【００３８】
このような構成に基づき、第１光源ユニット１７は複数の光線ＢＬ１ｓからなる光線束Ｋ１を光合成光学系２２に向けて射出し、第２光源ユニット１８は複数の光線ＢＬ１ｐからなる光線束Ｋ２を光合成光学系２２に向けて射出し、第３光源ユニット１９は複数の光線ＢＬ２ｓからなる光線束Ｋ３を光合成光学系２２に向けて射出するようになっている。
【００３９】
第１光源ユニット１７と、光合成光学系２２と、第３光源ユニット１９とは、光軸ａｘ１上に順次並んで配置されている。第２光源ユニット１８と、光合成光学系２２と、第１位相差板２３と、ホモジナイザー光学系２４と、偏光分離素子２５と、第２位相差板２６と、第１のピックアップレンズユニット２７と、拡散板ホイール２８とは、光軸ａｘ２上に順次並んで配置されている。偏光分離素子２５と、第２のピックアップレンズユニット２９と、蛍光体ホイール３０とは、光軸ａｘ３上に順次並んで配置されている。光軸ａｘ１と光軸ａｘ２とは、同一面内にあり、互いに直交する。また、光軸ａｘ３は光軸ａｘ１と平行である。光軸ａｘ３と光軸ａｘ２とは同一面内にあり、互いに直交する。
【００４０】
本実施形態の光合成光学系２２は、第１機能膜２２Ａと第２機能膜２２Ｂとを有した一つのクロスプリズムＰから構成される。すなわち、光合成光学系２２は簡便な構成からなる。本実施形態において、第１機能膜２２Ａ及び第２機能膜２２Ｂは誘電体多層膜から構成される。
【００４１】
クロスプリズムＰと光源装置２０とは所定関係を満たすように配置されている。第１機能膜２２Ａ及び第２機能膜２２Ｂは光軸ａｘ１と４５°の角度をなし、かつ光軸ａｘ２と４５°の角度をなすように配置されている。また、第１機能膜２２Ａ及び第２機能膜２２Ｂは、互いに直交するように配置されている。
【００４２】
第１機能膜２２Ａは、第１の波長（４４５ｎｍ）をピーク波長として有する光線束Ｋ１，Ｋ２に対して偏光分離機能を持ち、第２の波長（４６５ｎｍ）をピーク波長として有する光線束Ｋ３をその偏光状態にかかわらず透過させる。
【００４３】
第２機能膜２２Ｂは、第１の波長をピーク波長として有する光線束Ｋ１，Ｋ２を透過させるとともに、第２の波長をピーク波長として有する光線束Ｋ３を反射させる。
【００４４】
このような構成に基づき、第１光源ユニット１７から射出された光線束Ｋ１は、第１機能膜２２Ａで反射されるとともに第２機能膜２２Ｂを透過し、第２光源ユニット１８から射出された光線束Ｋ２は、第１機能膜２２Ａ及び第２機能膜２２Ｂを透過し、第３光源ユニット１９から射出された光線束Ｋ３は、第１機能膜２２Ａで反射されるとともに第２機能膜２２Ｂを透過する。これにより、光線束Ｋ１，Ｋ２，Ｋ３が合成されて合成光線束Ｔが形成される。
【００４５】
上述のように第１の波長と第２の波長との差が１０ｎｍ以上であるので、第１機能膜２２Ａ及び第２機能膜２２Ｂにより光線束Ｋ１，Ｋ２，Ｋ３を効率良く合成することができる。
【００４６】
光合成光学系２２から射出された合成光線束Ｔは、第１位相差板２３に入射する。第１位相差板２３は１／２波長板である。合成光線束Ｔを構成する光線束Ｋ１，Ｋ２，Ｋ３はいずれも直線偏光である。そのため、第１位相差板２３を透過することで、各光線束Ｋ１，Ｋ２，Ｋ３の偏光方向は変化する。
【００４７】
第１位相差板２３を通過した合成光線束Ｔは、ホモジナイザー光学系２４に入射する。ホモジナイザー光学系２４は、例えば第１のレンズアレイ２４ａと第２のレンズアレイ２４ｂとから構成されている。第１のレンズアレイ２４ａは複数の第１小レンズ２４ａｍを含み、第２のレンズアレイ２４ｂは複数の第２小レンズ２４ｂｍを含む。
【００４８】
ホモジナイザー光学系２４を通過した合成光線束Ｔは偏光分離素子２５に入射する。偏光分離素子２５は、透明基板２５ａと、透明基板２５ａに支持された偏光分離膜２５ｂとを備える。偏光分離膜２５ｂは、第２の波長（４６５ｎｍ）をピーク波長として有する光線束Ｋ３に対して偏光分離機能を持ち、かつ、第１の波長（４４５ｎｍ）をピーク波長として有する光線束Ｋ１，Ｋ２をそれらの偏光状態によらず反射させる。また、偏光分離膜２５ｂは、第１の波長および第２の波長とは異なる蛍光ＹＬを、その偏光状態にかかわらず透過させる。本実施形態において、偏光分離膜２５ｂは特許請求の範囲に記載の「第４機能膜」に相当する。
【００４９】
ここで、光線束Ｋ３は第１位相差板２３を透過したことで、偏光状態が偏光分離素子２５に対するＰ偏光である光線束Ｋ３ｐに変換されている。そのため、光線束Ｋ３ｐは偏光分離素子２５を透過して拡散板ホイール２８に向かう。
【００５０】
偏光分離素子２５から射出された光線束Ｋ３ｐは第２位相差板２６に入射する。第２位相差板２６は１／４波長板から構成される。光線束Ｋ３ｐは第２位相差板２６を透過することによって、例えば右回り円偏光の青色光Ｋ３ｃに変換される。青色光Ｋ３ｃは、第１のピックアップレンズユニット２７に入射する。
【００５１】
第１のピックアップレンズユニット２７は、青色光Ｋ３ｃを拡散板ホイール２８に向けて集光させる。第１のピックアップレンズユニット２７は、例えば２つのピックアップレンズ２７ａ，２７ｂから構成されている。
【００５２】
また、第１のピックアップレンズユニット２７はホモジナイザー光学系２４と協働して、拡散板ホイール２８上での青色光Ｋ３ｃの照度分布を均一化する。本実施形態では、第１のピックアップレンズユニット２７の焦点位置に拡散板ホイール２８が配置されている。
【００５３】
拡散板ホイール２８は、第１のピックアップレンズユニット２７から射出された青色光Ｋ３ｃを偏光分離素子２５に向けて拡散反射させる。拡散板ホイール２８は、例えば、右回り円偏光の青色光Ｋ３ｃを左回り円偏光の青色光Ｋ３ｄに変換する。
【００５４】
拡散板ホイール２８は、拡散反射板４１と、拡散反射板４１を回転させるためのモーター４２と、を備えている。拡散反射板４１は、例えば光反射性を持つ部材の表面に凹凸を形成することで形成される。拡散反射板４１は、回転軸の方向から見て例えば円形に形成されている。本実施形態において、拡散板ホイール２８は特許請求の範囲に記載の「拡散素子」に相当する。
【００５５】
拡散板ホイール２８によって反射され、第１のピックアップレンズユニット２７を再び透過した左回り円偏光の青色光Ｋ３ｄ（拡散光）は、再び第２位相差板２６を透過して、Ｓ偏光の青色光Ｋ３ｓとなる。Ｓ偏光の青色光Ｋ３ｓは偏光分離素子２５で反射されてインテグレーター光学系１３１に向かう。
【００５６】
光線束Ｋ１は第１位相差板２３によって、偏光状態が偏光分離素子２５に対するＰ偏光である光線束Ｋ１ｐに変換される。光線束Ｋ２は第１位相差板２３によって、偏光状態が偏光分離素子２５に対するＳ偏光である光線束Ｋ２ｓに変換される。
【００５７】
これにより、光線束Ｋ１ｐ，Ｋ２ｓは偏光分離素子２５で反射されて蛍光体ホイール３０に向かう。以下、光線束Ｋ１ｐ，Ｋ２ｓを総称して励起光ＢＬ３と呼ぶ。
【００５８】
偏光分離素子２５から射出された励起光ＢＬ３は第２のピックアップレンズユニット２９に入射する。第２のピックアップレンズユニット２９は、励起光ＢＬ３を蛍光体ホイール３０に向けて集光させる。また、第２のピックアップレンズユニット２９はホモジナイザー光学系２４と協働して、蛍光体層３２上での励起光ＢＬ３の照度分布を均一化する。第２のピックアップレンズユニット２９は、例えば２つのピックアップレンズ２９ａ，２９ｂから構成されている。
【００５９】
蛍光体ホイール３０は、円板３１ａと、円板３１ａ上にリング状に形成された蛍光体層３２と、円板３１ａを回転させるモーター３３と、を有している。円板３１ａは放熱性に優れた金属部材から構成される。
【００６０】
蛍光体層３２は、励起光ＢＬ３を吸収して黄色の蛍光に変換して射出する蛍光体粒子を含む。蛍光体粒子としては、例えばＹＡＧ（イットリウム・アルミニウム・ガーネット）系蛍光体を用いることができる。なお、蛍光体粒子の形成材料は、１種であってもよく、２種以上の材料を用いて形成されている粒子を混合したものを蛍光体粒子として用いてもよい。
【００６１】
円板３１ａと蛍光体層３２との間には反射部３１ｂが設けられている。このような構成に基づき、蛍光体ホイール３０は、蛍光体層３２で生成された蛍光ＹＬを第２のピックアップレンズユニット２９に向けて射出する。
【００６２】
蛍光ＹＬは、第２のピックアップレンズユニット２９により平行化される。蛍光ＹＬは偏光分離素子２５を透過し、該偏光分離素子２５により反射された青色光Ｋ３ｓと合成される。このようにして、白色の照明光ＷＬが生成される。照明光生成部２Ａは、照明光ＷＬをインテグレーター光学系１３１に向けて射出する。
【００６３】
インテグレーター光学系１３１は、例えば、レンズアレイ１３１ａ，レンズアレイ１３１ｂから構成されている。レンズアレイ１３１ａ，１３１ｂは、複数の小レンズがアレイ状に配列されたものからなる。
【００６４】
インテグレーター光学系１３１を透過した照明光ＷＬは、偏光変換素子１３２に入射する。偏光変換素子１３２は、偏光分離膜と位相差板とから構成されている。偏光変換素子１３２は、非偏光の蛍光ＹＬを含む照明光ＷＬを直線偏光に変換する。
【００６５】
偏光変換素子１３２を透過した照明光ＷＬは、重畳レンズ１３３ａに入射する。重畳レンズ１３３ａはインテグレーター光学系１３１と協同して、被照明領域における照明光ＷＬによる照度の分布を均一化する。このようにして、照明装置２は照明光ＷＬを生成する。
【００６６】
このように本実施形態の光合成光学系２２は、各々が第１の波長をピーク波長として有する光線束Ｋ１，Ｋ２と、第１の波長とは異なる第２の波長をピーク波長として有する光線束Ｋ３とを簡便な構成で合成することができる。また、光合成光学系２２は、３つの光源ユニットから射出した光線束Ｋ１〜Ｋ３を簡便な構成で合成することができる。
また、光合成光学系２２は、一つのクロスプリズムＰから構成されているため、小型である。したがって、簡便且つ小型な構成により、光線束Ｋ１〜Ｋ３を合成することができる。
【００６７】
本実施形態の照明装置２においては、第１の波長を、ＹＡＧ系蛍光体を高い効率で励起できる波長に設定し、第２の波長を、カラー画像を形成するのに適した色域を得られる波長に設定した。従って、照明装置２は、蛍光体層３２による励起光ＢＬ３の利用効率を低下させることなく、色再現性が高いカラー画像を形成できる照明光ＷＬを射出できる。そのため、本実施形態のプロジェクター１は、色再現性の高いカラー画像を形成することができる。
【００６８】
（第２実施形態）
続いて、第２実施形態に係るプロジェクターについて説明する。本実施形態のプロジェクターは、マイクロミラー型の光変調装置を用いる点で第１実施形態のプロジェクター１と大きく異なる。
以下、第１実施形態と共通の構成及び部材については同じ符号を付し、その詳細の説明については省略若しくは簡略化する。
【００６９】
図３は本実施形態に係るプロジェクターの概略構成を示す図である。
図３に示すように、本実施形態のプロジェクター１Ａは、照明装置６０と、全反射プリズム６１と、マイクロミラー型光変調装置６２と、投射光学系６３とを備えている。
【００７０】
照明装置６０は、照明光生成部６４と、均一照明光学系６５と、導光光学系６６とを備えている。
照明光生成部６４は、光源装置７０と、光合成光学系７１と、位相差板７２と、拡散素子７３と、第１のダイクロイックミラー７４ａと、第２のダイクロイックミラー７４ｂと、ピックアップレンズ７５ａと、蛍光体ホイール７６と、ピックアップレンズ７５ｂと、第１の反射ミラー７８ａと、第２の反射ミラー７８ｂと、リレーレンズ７９とを備えている。本実施形態において、光合成光学系７１は特許請求の範囲に記載の「光合成光学素子」に相当する。
【００７１】
光源装置７０は、第１光源ユニット１７と、第２光源ユニット１８と、第３光源ユニット１９と、第４光源ユニット８４とを有する。
【００７２】
第４光源ユニット８４は、上記第１〜第３光源ユニット１７〜１９と同一の構成を有しており、第４アレイ光源８４Ａと、第４コリメーター光学系８４Ｂとを含む。
第４アレイ光源８４Ａは、複数の半導体レーザー８４ａを有する。複数の半導体レーザー８４ａは光軸ａｘ４と直交する面内において、アレイ状に配置されている。半導体レーザー８４ａは、光線ＢＬ４ｓを射出する。光線ＢＬ４ｓは、ピーク波長が第２の波長（４６５ｎｍ）であるレーザー光である。光線ＢＬ４ｓは特許請求の範囲に記載の「第４の光」に相当する。
【００７３】
本実施形態において、光線ＢＬ４ｓの偏光状態は、後述するクロスプリズムＰ２の第３機能膜２２Ｃに対するＳ偏光である。光線ＢＬ４ｓは、光線ＢＬ２ｓとともに、プロジェクター１Ａが投射するカラー画像の形成に用いられる。
【００７４】
第４アレイ光源８４Ａから射出された光は第４コリメーター光学系８４Ｂに入射する。第４コリメーター光学系８４Ｂは、アレイ状に配置された複数のコリメーターレンズ８４ｂから構成されている。コリメーターレンズ８４ｂは半導体レーザー８４ａから射出された光線ＢＬ４ｓを平行光に変換する。
【００７５】
このような構成に基づき、第４光源ユニット８４は複数の光線ＢＬ４ｓからなる光線束Ｋ４を光合成光学系７１が備えるクロスプリズムＰ２に向けて射出するようになっている。
【００７６】
本実施形態の光合成光学系７１は、二つのクロスプリズムＰ１，Ｐ２から構成された簡便な構成からなる。クロスプリズムＰ１は、第１実施形態の光合成光学系２２に用いられたクロスプリズムＰと同一構成である。すなわち、クロスプリズムＰ１は、第１機能膜２２Ａと第２機能膜２２Ｂとを有する。クロスプリズムＰ２は、誘電体多層膜から構成された第３機能膜２２Ｃを有している。クロスプリズムＰ２に代えて、白板ガラス板上に第３機能膜２２Ｃを形成したものを用いても良い。位相差板７２は、クロスプリズムＰ１，Ｐ２の間に配置されている。
【００７７】
クロスプリズムＰ２と光源装置２０とは所定関係を満たすように配置されている。例えば、第３機能膜２２Ｃは光軸ａｘ４と４５°の角度をなすように配置されている。
第３機能膜２２Ｃは、第２の波長をピーク波長として有する光線束Ｋ３，Ｋ４をＳ偏光成分とＰ偏光成分とに分離する偏光分離機能を持つとともに、第１の波長（４４５ｎｍ）をピーク波長として有する光線束Ｋ１，Ｋ２を、その偏光状態にかかわらず透過させる。
【００７８】
本実施形態では、第１の波長と第２の波長との差が１０ｎｍ以上であるので、第３機能膜２２Ｃによって、光線束Ｋ１，Ｋ２、Ｋ３と，光線束Ｋ４と、を効率良く合成することができる。
【００７９】
本実施形態において、光線束Ｋ４は第３機能膜２２Ｃの一方側から０°よりも大きい所定の入射角（本実施形態では、４５°）で第３機能膜２２Ｃへ入射するように、第３機能膜２２Ｃおよび第４光源ユニット８４が配置されている。光線束Ｋ４は、第３機能膜２２Ｃに対してＳ偏光として入射するため、光線束Ｋ４は第３機能膜２２Ｃによって反射される。
【００８０】
クロスプリズムＰ１から射出された光線束Ｋ１，Ｋ２，Ｋ３は位相差板７２に入射する。位相差板７２は１／２波長板である。光線束Ｋ１，Ｋ２，Ｋ３はいずれも直線偏光であるため、位相差板７２を透過することで、各光線束Ｋ１，Ｋ２，Ｋ３の偏光方向は変化する。
【００８１】
位相差板７２によって、光線束Ｋ１は第３機能膜２２Ｃに対する偏光状態がＰ偏光である光線束Ｋ１ｐに変換され、光線束Ｋ２は第３機能膜２２Ｃに対する偏光状態がＳ偏光である光線束Ｋ２ｓに変換され、光線束Ｋ３は第３機能膜２２Ｃに対する偏光状態がＰ偏光である光線束Ｋ３ｐに変換される。
【００８２】
本実施形態において、光線束Ｋ１ｐ，Ｋ２ｓ，Ｋ３ｐは、第３機能膜２２Ｃの他方側（光線束Ｋ４の入射側と反対側）から上記所定の入射角（本実施形態では、４５°）で入射する。第１の波長をピーク波長として有する光線束Ｋ１ｐ，Ｋ２ｓは、その偏光状態によらず第３機能膜２２Ｃを透過する。
【００８３】
本実施形態において、第４光源ユニット８４から射出された光線束Ｋ４と第３光源ユニット８２から射出された光線束Ｋ３ｐとは、互いに異なる偏光状態で第３機能膜２２Ｃに入射する。すなわち、第２の波長をピーク波長として有する光線束Ｋ３ｐは、第３機能膜２２Ｃに対するＰ偏光であることから、該光線束Ｋ３ｐは第３機能膜２２Ｃを透過する。
【００８４】
このような構成に基づき、光合成光学系７１は、各々が第１の波長をピーク波長として有する光線束Ｋ１，Ｋ２と、各々が第１の波長とは異なる第２の波長をピーク波長として有する光線束Ｋ３，Ｋ４とを簡便な構成で合成することができる。また、光合成光学系７１は、４つの光源ユニットから射出した光線束Ｋ１〜Ｋ４を簡便な構成で合成することができる。
【００８５】
光線束Ｋ１ｐ，Ｋ２ｓ，Ｋ３ｐ，Ｋ４は拡散素子７３に入射する。拡散素子７３は透過型の拡散板である。拡散素子７３としては、例えば、表面に複数のマイクロレンズを形成したガラス板、ホログラフィック拡散板或いはスリガラス等を用いることができる。
【００８６】
拡散素子７３により拡散された光線束Ｋ１ｐ，Ｋ２ｓ，Ｋ３ｐ，Ｋ４は、第１のダイクロイックミラー７４ａに入射する。第１のダイクロイックミラー７４ａは光線束Ｋ１ｐ，Ｋ２ｓ，Ｋ３ｐ，Ｋ４を透過させるとともに、蛍光体ホイール７６から射出された後述の蛍光ＲＬ，蛍光ＧＬを反射させる特性を有する。
【００８７】
第１のダイクロイックミラー７４ａを透過した光線束Ｋ１ｐ，Ｋ２ｓ，Ｋ３ｐ，Ｋ４は、ピックアップレンズ７５ａに入射する。ピックアップレンズ７５ａは各光線束Ｋ１ｐ，Ｋ２ｓ，Ｋ３ｐ，Ｋ４を蛍光体ホイール７６に対して集光させる機能と、後述の蛍光ＲＬ，蛍光ＧＬをピックアップして平行化する機能とを兼ねたレンズである。なお、本実施形態では、ピックアップレンズ７５ａとしてレンズ１つのみで構成しているが、複数のレンズから構成しても良い。
【００８８】
図４は本実施形態の蛍光体ホイール７６の平面構成を示す図である。
図４に示すように、蛍光体ホイール７６は、円板７６ａと、赤色蛍光体層７６Ｒと、緑色蛍光体層７６Ｇと、拡散部７６ｂと、円板７６ａを回転駆動するモーターＭと、を有している。本実施形態において、円板７６ａは透光性部材から構成される。
【００８９】
赤色蛍光体層７６Ｒと、緑色蛍光体層７６Ｇと、拡散部７６ｂとは、円板７６ａ上のリング状の領域に配置されている。
【００９０】
本実施形態では、モーターＭにより円板７６ａを回転させることで、光入射位置が円板７６ａ上において周方向に移動する。本実施形態では、円板７６ａの回転に同期させて、第１光源ユニット１７と第２光源ユニット１８と第３光源ユニット１９と第４光源ユニット８４それぞれの点灯期間を制御している。具体的には、光入射位置が赤色蛍光体層７６Ｒと緑色蛍光体層７６Ｇとに位置している期間には、第１光源ユニット１７と第２光源ユニット１８とを点灯させ、第３光源ユニット１９と第４光源ユニット８４を消灯させる。光入射位置が拡散部７６ｂに位置している期間には、第３光源ユニット１９と第４光源ユニット８４を点灯させ、第１光源ユニット１７と第２光源ユニット１８とを消灯させる。
【００９１】
赤色蛍光体層７６Ｒは、第１の波長をピーク波長として有する光線束Ｋ１ｐ，Ｋ２ｓで励起されて赤色の蛍光ＲＬを射出する。緑色蛍光体層７６Ｇは、第１の波長をピーク波長として有する光線束Ｋ１ｐ，Ｋ２ｓで励起されて緑色の蛍光ＧＬを射出する。
【００９２】
本実施形態において、赤色蛍光体層７６Ｒと円板７６ａとの間、及び、緑色蛍光体層７６Ｇと円板７６ａとの間には、反射部３１ｂが設けられている。このような構成に基づき、蛍光体ホイール７６は、蛍光ＲＬ、蛍光ＧＬを第１のダイクロイックミラー７４ａに向けて射出する。
【００９３】
蛍光ＲＬ及び蛍光ＧＬはピックアップレンズ７５ａにより平行化されて第１のダイクロイックミラー７４ａに入射する。第１のダイクロイックミラー７４ａは、蛍光ＲＬ及び蛍光ＧＬを第２のダイクロイックミラー７４ｂに向けて反射する。
【００９４】
拡散部７６ｂは、例えば、表面に複数のマイクロレンズを形成したガラス板、ホログラフィック拡散板或いはスリガラス板から構成される。
これにより、光線束Ｋ３ｐ，Ｋ４が拡散部７６ｂを透過することで青色拡散光ＢＬ５が生成される。青色拡散光ＢＬ５はピックアップレンズ７５ｂに入射する。
【００９５】
ピックアップレンズ７５ｂは青色拡散光ＢＬ５をピックアップして平行化する機能を有する。なお、本実施形態では、ピックアップレンズ７５ｂとしてレンズ１つのみで構成しているが、複数のレンズから構成しても良い。
【００９６】
ピックアップレンズ７５ｂで平行化された青色拡散光ＢＬ５は、第１の反射ミラー７８ａ、リレーレンズ７９及び第２の反射ミラー７８ｂを経由し、第２のダイクロイックミラー７４ｂに入射する。
【００９７】
第２のダイクロイックミラー７４ｂは、蛍光ＲＬ及び蛍光ＧＬを反射させるとともに青色拡散光ＢＬ５を透過させる特性を有する。これにより、青色拡散光ＢＬ５、蛍光ＲＬ及び蛍光ＧＬは、第２のダイクロイックミラー７４ｂを透過して均一照明光学系６５に入射する。
【００９８】
本実施形態において、均一照明光学系６５は、入射側レンズ６５ａと、出射側レンズ６５ｂと、ロッド６５ｃと、を含む。入射側レンズ６５ａを介してロッド６５ｃ内に入射した光は、ロッド６５ｃ内で全反射することで、ロッド６５ｃから射出された時には強度分布が均一化されている。
【００９９】
均一照明光学系６５を経由することで強度分布が均一化された蛍光ＲＬ、蛍光ＧＬ及び青色拡散光ＢＬ５は、導光光学系６６に入射する。導光光学系６６は、反射ミラー６７と、レンズ６８とを含み、蛍光ＲＬ、蛍光ＧＬ及び青色拡散光ＢＬ５を全反射プリズム６１に向けて射出する。
【０１００】
このような構成に基づき、本実施形態の照明装置６０は、蛍光体ホイール７６の回転に応じて、蛍光ＲＬ、蛍光ＧＬ及び青色拡散光ＢＬ５を全反射プリズム６１にむけて順に射出する。
【０１０１】
全反射プリズム６１は透光性部材から構成され、全反射面６１ａを含む。全反射面６１ａは、照明装置６０からの光（蛍光ＲＬ、蛍光ＧＬ及び青色拡散光ＢＬ５）をマイクロミラー型光変調装置６２に向けて全反射するように角度が設定されている。
【０１０２】
マイクロミラー型光変調装置６２は、例えば、ＤＭＤ（Ｄｉｇｉｔａｌ  Ｍｉｃｒｏｍｉｒｒｏｒ  Ｄｅｖｉｃｅ）から構成される。ＤＭＤは、複数のマイクロミラーがマトリクス状に配列されたものである。ＤＭＤは、複数のマイクロミラーの傾き方向を切換えることにより、入射光の反射方向を、全反射面６１ａを透過する方向と全反射面６１ａで反射される方向との間で切り替える。このようにＤＭＤは、照明装置６０から射出された赤色光（蛍光ＲＬ）、緑色光（蛍光ＧＬ）及び青色光（青色拡散光ＢＬ５）を順次変調して、緑色画像、赤色画像及び青色画像を生成する。投射光学系６３は緑色画像、赤色画像及び青色画像をスクリーン（不図示）に投影する。
【０１０３】
なお、本発明は上記実施形態の内容に限定されることはなく、発明の主旨を逸脱しない範囲において適宜変更可能である。
【０１０４】
（変形例１）
上記第２実施形態の照明光生成部６４では、光合成光学系７１を構成する二つのクロスプリズムＰ１、Ｐ２の間に位相差板７２を配置する構成を例に挙げたが、位相差板７２を配置しなくても良い。
【０１０５】
図５は本変形例に係る光合成光学系７１Ａおよびその周辺構成を示す図である。なお、図５において、第２実施形態と共通の構成については同じ符号を付し、説明については省略する。
図５に示すように、本変形例においては、第４アレイ光源８４Ａを構成する複数の半導体レーザー８４ａは、第２の波長をピーク波長として有する光線ＢＬ４ｐをクロスプリズムＰ２に向けて射出する。半導体レーザー８４ａは、光線ＢＬ４ｐが第３機能膜２２Ｃに対してＰ偏光として入射するように配置されている。
【０１０６】
複数の光線ＢＬ４ｐからなる光線束Ｋ４ａは、第３機能膜２２Ｃに対してＰ偏光として入射するため、該光線束Ｋ４ａは第３機能膜２２Ｃを透過する。
【０１０７】
一方、クロスプリズムＰ１から射出された第１の波長をピーク波長として有する光線束Ｋ１，Ｋ２）は、その偏光状態によらず第３機能膜２２Ｃで反射される。第２の波長をピーク波長として有する光線束Ｋ３は第３機能膜２２Ｃに対するＳ偏光であるため、光線束Ｋ３は第３機能膜２２Ｃで反射される。
【０１０８】
本変形例によっても、第２実施形態によって得られる効果が得られる。
【０１０９】
（変形例２）
本変形例は、第２光源ユニット１８から射出された光線ＢＬ１ｓの偏光状態がクロスプリズムＰ１の第１機能膜２２Ａに対するＳ偏光となっている点において、上記第２実施形態と異なる。
【０１１０】
図６は本変形例に係る光合成光学系７１およびその周辺構成を示す図である。なお、図６において、第２実施形態と共通の構成については同じ符号を付し、説明については省略する。
図６に示すように、本変形例では、第２光源ユニット１８が備える半導体レーザー１８ａは、偏光状態が第１機能膜２２Ａに対するＳ偏光である光線ＢＬ１ｓを射出するように配置されている。
【０１１１】
第２光源ユニット１８とクロスプリズムＰ１との間には、位相差板９１が配置されている。位相差板９１は１／２波長板である。複数の光線ＢＬ１ｓからなる光線束Ｋ２ａは、位相差板９１を透過することで第１機能膜２２Ａに対するＰ偏光に変換される。
そのため、光線束Ｋ２ａは、第２実施形態と同様、第１機能膜２２Ａを透過することができる。
【０１１２】
それ以外の構成については、第２実施形態の光合成光学系７１と共通であるため、その説明を省略する。
本変形例によっても、第２実施形態によって得られる効果が得られる。
【０１１３】
また、上記第１実施形態では、３つの液晶パネルを光変調装置として備えるプロジェクター１を例示したが、各光変調装置として、デジタルミラーデバイスを用いてもよい。また、光変調装置の数は１個でもよい。
【０１１４】
上記実施形態では本発明による光源装置をプロジェクターに搭載した例を示したが、これに限られない。本発明による光源装置は、照明器具や自動車のヘッドライト等にも適用することができる。
【符号の説明】
【０１１５】
１、１Ａ…プロジェクター、２…照明装置、２Ａ、６４…照明光生成部、４Ｂ、４Ｇ、４Ｒ…光変調装置、６…投射光学系、１７…第１光源ユニット、１８…第２光源ユニット、１９…第３光源ユニット、２０、７０…光源装置、２２、７１…光合成光学系、２５…偏光分離素子、３２…蛍光体層、５１…偏光分離素子、６０…照明装置、６２…マイクロミラー型光変調装置、７３…拡散素子、７６Ｇ…緑色蛍光体層、７６Ｒ…赤色蛍光体層、７６ｂ…拡散部、８２…第３光源ユニット、８４…第４光源ユニット、９０…光合成光学系、ＢＬ１ｐ…光線（第１の光）、ＢＬ１ｓ…光線（第２の光）、ＢＬ２ｓ…光線（第３の光）、ＢＬ４ｐ…光線（第４の光）、ＢＬ４ｓ…光線（第４の光）、Ｐ…クロスプリズム、Ｐ１…クロスプリズム、Ｐ２…クロスプリズム、ＲＬ…蛍光。
【図１】
2018004755.tif 000003
【図２】
2018004755.tif 000004
【図３】
2018004755.tif 000005
【図４】
2018004755.tif 000006
【図５】
2018004755.tif 000007
【図６】
2018004755.tif 000008